【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
第１の持続時間にわたる第１の送信機会（ＴＸＯＰ）のために通信媒体へのアクセスを求めて競合すること、ここにおいて、前記通信媒体は、免許不要周波数帯域の少なくとも一部に対応する、と、
前記第１のＴＸＯＰの１つまたは複数のダウンリンクサブフレームの間にアクセス端末に、第２の持続時間にわたる第２のＴＸＯＰのためにアップリンクリソースを前記アクセス端末に許可するスケジューリング許可を送信すること、ここにおいて、前記スケジューリング許可は、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、と、
前記第２のＴＸＯＰのために前記通信媒体へのアクセスを求めて競合することと、
前記第２のＴＸＯＰの間に、前記許可されたアップリンクリソースで前記アクセス端末からアップリンクシグナリングを受信することと
を備える、通信方法。
【請求項２】
前記第１のＴＸＯＰ、前記第２のＴＸＯＰ、または両方のために前記通信媒体を予約するチャネル予約メッセージを送信することをさらに備える、請求項１に記載の方法。
【請求項３】
前記送信することは、共通制御チャネルで前記スケジューリング許可をブロードキャストすることを備える、請求項１に記載の方法。
【請求項４】
前記第１のＴＸＯＰの間に、前記アクセス端末に前記スケジューリング許可を再送信することをさらに備える、請求項１に記載の方法。
【請求項５】
前記スケジューリング許可は、前記第１のＴＸＯＰの第１のダウンリンクサブフレームにおいて送信され、前記第１のＴＸＯＰの第２のダウンリンクサブフレームにおいて再送信される、請求項４に記載の方法。
【請求項６】
前記スケジューリング許可はさらに、前記第１のＴＸＯＰのためにアップリンクリソースを前記アクセス端末に許可する、請求項１に記載の方法。
【請求項７】
少なくとも１つのプロセッサと、
前記少なくとも１つのプロセッサに結合された少なくとも１つのメモリと、前記少なくとも１つのプロセッサおよび前記少なくとも１つのメモリが、第１の持続時間にわたる第１の送信機会（ＴＸＯＰ）のために通信媒体へのアクセスを求めて競合するように構成され、ここにおいて、前記通信媒体は、免許不要周波数帯域の少なくとも一部に対応し、
前記第１のＴＸＯＰの間にアクセス端末に、第２の持続時間にわたる第２のＴＸＯＰのためにアップリンクリソースを前記アクセス端末に許可するスケジューリング許可を送信するように構成された少なくとも１つのトランシーバ、ここにおいて、前記スケジューリング許可は、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、と
を備える、通信装置であって、
前記少なくとも１つのプロセッサおよび前記少なくとも１つのメモリは、前記第２のＴＸＯＰのために前記通信媒体へのアクセスを求めて競合するようにさらに構成され、
前記少なくとも１つのトランシーバは、前記第２のＴＸＯＰの間に、前記許可されたアップリンクリソースで前記アクセス端末からアップリンクシグナリングを受信するようにさらに構成される、通信装置。
【請求項８】
前記少なくとも１つのトランシーバは、前記第１のＴＸＯＰ、前記第２のＴＸＯＰ、または両方のために前記通信媒体を予約するチャネル予約メッセージを送信するようにさらに構成される、請求項７に記載の装置。
【請求項９】
前記少なくとも１つのトランシーバは、共通制御チャネルで前記スケジューリング許可をブロードキャストするようにさらに構成される、請求項７に記載の装置。
【請求項１０】
前記少なくとも１つのトランシーバは、前記第１のＴＸＯＰの間に、前記アクセス端末に前記スケジューリング許可を再送信するようにさらに構成される、請求項７に記載の装置。
【請求項１１】
前記少なくとも１つのトランシーバは、前記第１のＴＸＯＰの第１のダウンリンクサブフレームにおいて前記スケジューリング許可を送信し、前記第１のＴＸＯＰの第２のダウンリンクサブフレームにおいて前記スケジューリング許可を再送信するようにさらに構成される、請求項１０に記載の装置。
【請求項１２】
前記スケジューリング許可はさらに、前記第１のＴＸＯＰのためにアップリンクリソースを前記アクセス端末に許可する、請求項７に記載の装置。
【請求項１３】
第１の持続時間にわたる第１の送信機会（ＴＸＯＰ）の１つまたは複数のダウンリンクサブフレームの間に、アクセス端末による送信のために通信媒体のアップリンクリソースを許可するスケジューリング許可をアクセスポイントから受信すること、ここにおいて、前記通信媒体は、免許不要周波数帯域の少なくとも一部に対応する、と、
第２の持続時間にわたる第２のＴＸＯＰにおける前記スケジューリング許可に対応するアップリンクリソースを識別すること、ここにおいて、前記スケジューリング許可は、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、と、
前記第２のＴＸＯＰの間に、前記識別されたアップリンクリソースで前記アクセスポイントにアップリンクシグナリングを送信することと
を備える、通信方法。
【請求項１４】
第１の持続時間にわたる第１の送信機会（ＴＸＯＰ）の１つまたは複数のダウンリンクサブフレームの間に、アクセス端末による送信のために通信媒体のアップリンクリソースを許可するスケジューリング許可をアクセスポイントから受信するように構成された少なくとも１つのトランシーバ、ここにおいて、前記通信媒体は、免許不要周波数帯域の少なくとも一部に対応する、と、
少なくとも１つのプロセッサと、
前記少なくとも１つのプロセッサに結合された少なくとも１つのメモリと、
を備える、通信装置であって、前記少なくとも１つのプロセッサおよび前記少なくとも１つのメモリが、第２の持続時間にわたる第２のＴＸＯＰにおける前記スケジューリング許可に対応するアップリンクリソースを識別するように構成され、前記スケジューリング許可は、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成され、
前記少なくとも１つのトランシーバは、前記第２のＴＸＯＰの間に、前記識別されたアップリンクリソースで前記アクセスポイントにアップリンクシグナリングを送信するようにさらに構成される、通信装置。
【請求項１５】
前記少なくとも１つのトランシーバは、共通制御チャネルで前記スケジューリング許可を受信するようにさらに構成される、請求項１４に記載の装置。
【手続補正２】
【補正対象書類名】明細書
【補正対象項目名】０１７６
【補正方法】変更
【補正の内容】
【０１７６】
[00205]上述の開示は、様々な例示的な態様を示すが、様々な変更および修正が、添付の特許請求の範囲によって定義される範囲から逸脱することなく、示された例に対して行われ得ることに留意されたい。本開示は、具体的に示された例のみに限定されることは意図されていない。たとえば、別段に記載されていない限り、本明細書で説明された本開示の態様による方法クレームの機能、ステップおよび／またはアクションは、特定の順序で実行されなくてもよい。さらに、いくつかの態様は、単数形で説明または特許請求されていることがあるが、単数形に限定することが明示的に述べられていない限り、複数形が企図される。
以下に、本願出願の当初の特許請求の範囲に記載された発明を付記する。
［Ｃ１］
第１の持続時間にわたる第１の送信機会（ＴＸＯＰ）のために通信媒体へのアクセスを求めて競合することと、
前記第１のＴＸＯＰの間にアクセス端末に、第２の持続時間にわたる第２のＴＸＯＰのためにアップリンクリソースを前記アクセス端末に許可するスケジューリング許可を送信することと、
前記第２のＴＸＯＰのために前記通信媒体へのアクセスを求めて競合することと、
前記第２のＴＸＯＰの間に、前記許可されたアップリンクリソースで前記アクセス端末からアップリンクシグナリングを受信することと
を備える、通信方法。
［Ｃ２］
前記第１のＴＸＯＰおよび前記第２のＴＸＯＰは、前記第１の持続時間と前記第２の持続時間との間に介在時間期間があるように時間的に不連続である、［Ｃ１］に記載の方法。
［Ｃ３］
前記スケジューリング許可は、前記介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、［Ｃ２］に記載の方法。
［Ｃ４］
前記第１のＴＸＯＰ、前記第２のＴＸＯＰ、または両方のために前記通信媒体を予約するチャネル予約メッセージを送信することをさらに備える、［Ｃ１］に記載の方法。
［Ｃ５］
前記送信することは、共通制御チャネルで前記スケジューリング許可をブロードキャストすることを備える、［Ｃ１］に記載の方法。
［Ｃ６］
前記第１のＴＸＯＰの間に、前記アクセス端末に前記スケジューリング許可を再送信することをさらに備える、［Ｃ１］に記載の方法。
［Ｃ７］
前記スケジューリング許可は、前記第１のＴＸＯＰの第１のダウンリンクサブフレームにおいて送信され、前記第１のＴＸＯＰの第２のダウンリンクサブフレームにおいて再送信される、［Ｃ６］に記載の方法。
［Ｃ８］
前記スケジューリング許可はさらに、前記第１のＴＸＯＰのためにアップリンクリソースを前記アクセス端末に許可する、［Ｃ１］に記載の方法。
［Ｃ９］
少なくとも１つのプロセッサと、
前記少なくとも１つのプロセッサに結合された少なくとも１つのメモリと、前記少なくとも１つのプロセッサおよび前記少なくとも１つのメモリが、第１の持続時間にわたる第１の送信機会（ＴＸＯＰ）のために通信媒体へのアクセスを求めて競合するように構成され、
前記第１のＴＸＯＰの間にアクセス端末に、第２の持続時間にわたる第２のＴＸＯＰのためにアップリンクリソースを前記アクセス端末に許可するスケジューリング許可を送信するように構成された少なくとも１つのトランシーバと
を備える、通信装置であって、
前記少なくとも１つのプロセッサおよび前記少なくとも１つのメモリは、前記第２のＴＸＯＰのために前記通信媒体へのアクセスを求めて競合するようにさらに構成され、
前記少なくとも１つのトランシーバは、前記第２のＴＸＯＰの間に、前記許可されたアップリンクリソースで前記アクセス端末からアップリンクシグナリングを受信するようにさらに構成される、通信装置。
［Ｃ１０］
前記第１のＴＸＯＰおよび前記第２のＴＸＯＰは、前記第１の持続時間と前記第２の持続時間との間に介在時間期間があるように時間的に不連続である、［Ｃ９］に記載の装置。
［Ｃ１１］
前記スケジューリング許可は、前記介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、［Ｃ１０］に記載の装置。
［Ｃ１２］
前記少なくとも１つのトランシーバは、前記第１のＴＸＯＰ、前記第２のＴＸＯＰ、または両方のために前記通信媒体を予約するチャネル予約メッセージを送信するようにさらに構成される、［Ｃ１１］に記載の装置。
［Ｃ１３］
前記少なくとも１つのトランシーバは、共通制御チャネルで前記スケジューリング許可をブロードキャストするようにさらに構成される、［Ｃ９］に記載の装置。
［Ｃ１４］
前記少なくとも１つのトランシーバは、前記第１のＴＸＯＰの間に、前記アクセス端末に前記スケジューリング許可を再送信するようにさらに構成される、［Ｃ９］に記載の装置。
［Ｃ１５］
前記少なくとも１つのトランシーバは、前記第１のＴＸＯＰの第１のダウンリンクサブフレームにおいて前記スケジューリング許可を送信し、前記第１のＴＸＯＰの第２のダウンリンクサブフレームにおいて前記スケジューリング許可を再送信するようにさらに構成される、［Ｃ１４］に記載の装置。
［Ｃ１６］
前記スケジューリング許可はさらに、前記第１のＴＸＯＰのためにアップリンクリソースを前記アクセス端末に許可する、［Ｃ９］に記載の装置。
［Ｃ１７］
第１の持続時間にわたる第１の送信機会（ＴＸＯＰ）の間に、アクセス端末による送信のためにアップリンクリソースを許可するスケジューリング許可をアクセスポイントから受信することと、
第２の持続時間にわたる第２のＴＸＯＰにおける前記スケジューリング許可に対応するアップリンクリソースを識別することと、
前記第２のＴＸＯＰの間に、前記識別されたアップリンクリソースで前記アクセスポイントにアップリンクシグナリングを送信することと
を備える、通信方法。
［Ｃ１８］
前記第１のＴＸＯＰおよび前記第２のＴＸＯＰは、前記第１の持続時間と前記第２の持続時間との間に介在時間期間があるように時間的に不連続である、［Ｃ１７］に記載の方法。
［Ｃ１９］
前記介在時間期間のためにスケジュールされた任意のアップリンクサブフレームを無視することと、
前記許可されたアップリンクリソースを前記第２のＴＸＯＰの間のアップリンクサブフレームに持ち越すことと
をさらに備える、［Ｃ１８］に記載の方法。
［Ｃ２０］
前記受信することは、共通制御チャネルで前記スケジューリング許可を受信することを備える、［Ｃ１７］に記載の方法。
［Ｃ２１］
前記第１のＴＸＯＰの間に、前記アクセス端末から前記スケジューリング許可の再送信を受信することをさらに備える、［Ｃ１７］に記載の方法。
［Ｃ２２］
前記スケジューリング許可は、前記第１のＴＸＯＰの第１のダウンリンクサブフレームにおいて受信され、前記スケジューリング許可の前記再送信は、前記第１のＴＸＯＰの第２のダウンリンクサブフレームにおいて受信される、［Ｃ２１］に記載の方法。
［Ｃ２３］
前記第１のＴＸＯＰにおける前記スケジューリング許可に対応するアップリンクリソースを識別することと、
前記第１のＴＸＯＰの間に、前記識別されたアップリンクリソースで前記アクセスポイントにアップリンクシグナリングを送信することと
をさらに備える、［Ｃ１７］に記載の方法。
［Ｃ２４］
第１の持続時間にわたる第１の送信機会（ＴＸＯＰ）の間に、アクセス端末による送信のためにアップリンクリソースを許可するスケジューリング許可をアクセスポイントから受信するように構成された少なくとも１つのトランシーバと、
少なくとも１つのプロセッサと、
前記少なくとも１つのプロセッサに結合された少なくとも１つのメモリと、
を備える、通信装置であって、前記少なくとも１つのプロセッサおよび前記少なくとも１つのメモリが、第２の持続時間にわたる第２のＴＸＯＰにおける前記スケジューリング許可に対応するアップリンクリソースを識別するように構成され、
前記少なくとも１つのトランシーバは、前記第２のＴＸＯＰの間に、前記識別されたアップリンクリソースで前記アクセスポイントにアップリンクシグナリングを送信するようにさらに構成される、通信装置。
［Ｃ２５］
前記第１のＴＸＯＰおよび前記第２のＴＸＯＰは、前記第１の持続時間と前記第２の持続時間との間に介在時間期間があるように時間的に不連続である、［Ｃ２４］に記載の装置。
［Ｃ２６］
前記少なくとも１つのプロセッサおよび前記少なくとも１つのメモリは、
前記介在時間期間のためにスケジュールされた任意のアップリンクサブフレームを無視し、
前記許可されたアップリンクリソースを前記第２のＴＸＯＰの間のアップリンクサブフレームに持ち越す
ようにさらに構成される、［Ｃ２５］に記載の装置。
［Ｃ２７］
前記少なくとも１つのトランシーバは、共通制御チャネルで前記スケジューリング許可を受信するようにさらに構成される、［Ｃ２４］に記載の装置。
［Ｃ２８］
前記少なくとも１つのトランシーバは、前記第１のＴＸＯＰの間に、前記アクセスポイントから前記スケジューリング許可の再送信を受信するようにさらに構成される、［Ｃ２４］に記載の装置。
［Ｃ２９］
前記少なくとも１つのトランシーバは、前記第１のＴＸＯＰの第１のダウンリンクサブフレームにおいて前記スケジューリング許可を受信し、前記第１のＴＸＯＰの第２のダウンリンクサブフレームにおいて前記スケジューリング許可の前記再送信を受信するようにさらに構成される、［Ｃ２８］に記載の装置。
［Ｃ３０］
前記少なくとも１つのプロセッサおよび前記少なくとも１つのメモリは、前記第１のＴＸＯＰにおける前記スケジューリング許可に対応するアップリンクリソースを識別するようにさらに構成され、
前記少なくとも１つのトランシーバは、前記第１のＴＸＯＰの間に、前記識別されたアップリンクリソースで前記アクセスポイントにアップリンクシグナリングを送信するようにさらに構成される、［Ｃ２４］に記載の装置。